(57)【特許請求の範囲】
【請求項１】
建物の開口に引き戸が外付けで開閉自在に取り付けられ、建物の開口縁に設けられ、開口の内周に設けられた開口枠に接続され、壁面から突出する額縁に、引き戸の表裏方向に移動する施錠部が当接および当接解除されることによって施開錠される錠が引き戸の引き手付近に配設され、錠の施開錠が引き戸の表裏両側から可能とされた引き戸の施開錠構造であって、
錠は、引き戸の表裏方向に移動可能で、表裏いずれか一方側に設けられた、額縁との当接によって施錠状態にする施錠部と、施錠部の額縁との当接を解除し、開錠状態にする開錠部と、施錠部および開錠部に連結され、引き戸の他側に配置され、施錠部および開錠部を引き戸の表裏方向に一体に移動させる操作部とを備え、
操作部を引き戸に近づけるように移動させることによって、施錠部および開錠部が額縁を挟んで引き戸から突出し、施錠部が額縁に当接して施錠状態となり、施錠状態において、操作部を引き戸から離れるように移動させるまたは開錠部を引き戸に近づけるように移動させることによって、施錠部の額縁との当接が解除され、開錠状態となる
ことを特徴とする引き戸の施開錠構造。
【請求項２】
施錠部と開錠部とは一体に連結されて施開錠部とされ、施開錠部と操作部とは、対向端部に設けられた凹凸部によって嵌着可能とされ、嵌着した施開錠部と操作部とが錠として一体となって引き戸に配設されることを特徴とする請求項１に記載の引き戸の施開錠構造。
【発明の詳細な説明】
【技術分野】
【０００１】
本発明は、建物の開口に外付けで開閉自在に取り付けられる引き戸の施開錠構造に関する。
【背景技術】
【０００２】
建物の開口を開き戸から引き戸に改装する場合の壁解体などの大掛かりな工事を避けるために、開口上部に壁面から突出させ、水平に延出させて上レールを取り付け、上レールに対向する開口下部に下レールを取り付け、上レールと下レールとの間に引き戸を走行自在に取り付け、建物の開口に外付けで開閉自在に取り付け可能な引き戸、いわゆるアウトセット引き戸を本出願人は先に提案している。
【０００３】
そして、本出願人は、上記引き戸には、市販の錠では施錠不可能という問題があり、この問題を改善する施錠構造を提案してもいる（特許文献１）。
【０００４】
特許文献１に記載された施錠構造では、開口の内周に設けられた開口枠にロック装置を装着し、ロック装置には、レバー操作により引き戸の厚さ方向に出入りするロックバーを設け、引き戸の側部に表裏に貫通する貫通穴を形成し、貫通穴の裏面側にロックバー挿通金具を、表面側に貫通穴覆いプレートをそれぞれ配置し、両者を結合して引き戸に固定し、引き戸の裏面側ではロック装置のレバーを操作することにより、ロックバーをロックバー挿通金具のロック穴に係合させてロックさせ、ロック穴からロックバーを引き抜いてロックを解除するようにしている。錠を簡易な構造により実現している。
【特許文献１】特許第３５９１４０４号公報
【発明の開示】
【発明が解決しようとする課題】
【０００５】
しかしながら、特許文献１に記載された施錠構造では、非常時などに備え、引き戸の表面側から解除手段を操作してロックを解除することができるようにしているが、解除手段は、具体的には、貫通穴覆いプレートにロック穴に連通して形成された解除穴であり、ロック解除は、解除穴からピンなどを挿通してロックバーを押し戻すことによって行われる。解除穴は非常に小さく、このように小さい解除穴にピンを差し込むこと、また、細いピンによってロックバーを押し戻す必要があること、さらに、ピンを常時携帯しておくことができないなどの不都合があり、引き戸の表面側からのロック解除は容易であるとはいえなかった。特に、高齢者や子供などには、引き戸の表面側からのロック解除は操作しにくい。
【０００６】
本発明は、以上の通りの事情に鑑みてなされたものであり、簡易な構造の錠としたまま、引き戸の表裏両側からの施開錠が容易である引き戸の施開錠構造を提供することを課題としている。
【課題を解決するための手段】
【０００７】
本発明は、上記の課題を解決するために、以下の特徴を有する。
【０００８】
すなわち、第１の発明は、建物の開口に引き戸が外付けで開閉自在に取り付けられ、建物の開口縁に設けられ、開口の内周に設けられた開口枠に接続され、壁面から突出する額縁に、引き戸の表裏方向に移動する施錠部が当接および当接解除されることによって施開錠される錠が引き戸の引き手付近に配設され、錠の施開錠が引き戸の表裏両側から可能とされた引き戸の施開錠構造であって、錠は、引き戸の表裏方向に移動可能で、表裏いずれか一方側に設けられた、額縁との当接によって施錠状態にする施錠部と、施錠部の額縁との当接を解除し、開錠状態にする開錠部と、施錠部および開錠部に連結され、引き戸の他側に配置され、施錠部および開錠部を引き戸の表裏方向に一体に移動させる操作部とを備え、操作部を引き戸に近づけるように移動させることによって、施錠部および開錠部が額縁を挟んで引き戸から突出し、施錠部が額縁に当接して施錠状態となり、施錠状態において、操作部を引き戸から離れるように移動させるまたは開錠部を引き戸に近づけるように移動させることによって、施錠部の額縁との当接が解除され、開錠状態となることを特徴としている。
【０００９】
第２の発明は、上記第１の発明において、施錠部と開錠部とは一体に連結されて施開錠部とされ、施開錠部と操作部とは、対向端部に設けられた凹凸部によって嵌着可能とされ、嵌着した施開錠部と操作部とが錠として一体となって引き戸に配設されることを特徴としている。
【発明の効果】
【００１０】
上記第１の発明によれば、錠は、引き戸の表裏方向に移動可能で、表裏いずれか一方側に設けられた、額縁との当接によって施錠状態にする施錠部と、施錠部の額縁との当接を解除し、開錠状態にする開錠部と、施錠部および開錠部に連結され、引き戸の他側に配置され、施錠部および開錠部を引き戸の表裏方向に一体に移動させる操作部とを備え、操作部を引き戸に近づけるように移動させることによって、施錠部および開錠部が額縁を挟んで引き戸から突出し、施錠部が額縁に当接して施錠状態となり、施錠状態において、操作部を引き戸から離れるように移動させるまたは開錠部を引き戸に近づけるように移動させることによって、施錠部の額縁との当接が解除され、開錠状態となり、錠は、簡易の構造のまま、施開錠を引き戸の表裏両側から容易に行うことができる。
【００１１】
上記第２の発明によれば、引き戸の引き手付近に表裏を貫通する孔を形成し、引き戸の表裏いずれか一方側から操作部を孔に挿入し、他側から施錠部と開錠部とが一体に連結された施開錠部を挿入し、操作部と施開錠部との対向端部に設けられた凹凸部によって両者を嵌着し、錠として一体化することができるので、錠の取り付けが容易であり、現場での施工が簡便となる。
【発明を実施するための最良の形態】
【００１２】
図１は、本発明の引き戸の施開錠構造の一実施形態における引き戸を示した斜視図である。図２は、引き戸に配設された錠を拡大して示した分解斜視図である。図３＜ａ＞＜ｂ＞は、それぞれ、錠の引き戸への取り付けを示した要部工程断面図である。
【００１３】
図１に示したように、引き戸１の引き手２のほぼ真下に、引き戸１の表裏両側からの施開錠が可能とされた錠３が取り付けられる。
【００１４】
錠３は、図２に示したように、平面視略コ字状形状を有し、金属製、樹脂製などの丸棒、丸パイプなどから形成された操作部４と、平面視略Ｈ字状形状を有し、同様に金属製、樹脂製などの丸棒、丸パイプなどから形成された施開錠部５とを備えている。施開錠部５では、平行に離間配置された一方が施錠部６とされ、他方が開錠部７とされ、施錠部６および開錠部７は、長さ方向の略中央部から前端側にかけて両者に垂直に交わる連結部８によって一体に連結されている。
【００１５】
操作部４と施開錠部５との横幅は略等しく、操作部４の左右両側に位置する腕部４ａの後端と施開錠部５の前端、すなわち、施錠部６と開錠部７の両前端は対向配置可能であり、対向端部では、操作部４の腕部４ａ側に、先端に膨出部９ａを有する突起９が腕部４ａの後端から後方に向かって突設され、施開錠部５側に、施錠部６および開錠部７の両前端部に長さ方向にくぼんだ凹所１０が形成されている。これらの突起９と凹所１０とによって凹凸部が形成されている。突起９は凹所１０内に嵌入可能であり、膨出部９ａにおいて突起９は凹所１０に密着し、このとき、操作部４の腕部４ａの後端と施錠部６および開錠部７の両前端が当接し、操作部４と施開錠部５とが嵌着して錠３として一体となる。
【００１６】
このような錠３を引き戸１に取り付けるために、図１に示したように、引き戸１の引き手２のほぼ真下に引き戸１を表裏に貫通する孔１１が２つ、操作部４の腕部４ａならびに施開錠部５の施錠部６および開錠部７に対応する位置に形成されている。
【００１７】
図３＜ａ＞に示したように、錠３を取り付ける際には、引き戸１の表面側に操作部４を配置し、裏面側に施開錠部５を配置する。このとき、施開錠部５の施錠部６は引き戸１の戸先側に配置する。そして、操作部４の２つの腕部４ａをそれぞれ後端側から孔１１に引き戸１の表面側より挿入するとともに、施開錠部５の施錠部６および開錠部７をそれぞれ前端側から孔１１に引き戸１の裏面側より挿入する。
【００１８】
挿入後は、図３＜ｂ＞に示したように、操作部４の腕部４ａに突設された突起９が施錠部６および開錠部７の前端部に形成された凹所１０に嵌まり込み、操作部４と施開錠部５とが嵌着一体化し、錠３が引き戸１に取り付けられる。取り付けられた錠３は、操作部４の両腕部４ａの前端を横架し、連結する握り部４ｂが引き戸１の表面に接触し、また、施開錠部５に配設された連結部８が引き戸１の裏面に接触する範囲で引き戸１の表裏方向に移動可能となる。
【００１９】
このようにして引き戸１に取り付けられた錠３は、図４＜ａ＞＜ｂ＞に示したように、引き戸１を閉めた状態において、建物の開口１２の縁に設けられ、開口１２の内周に設けられた開口枠１３に接続され、壁面１４から突出する額縁１５の引き戸１側の額縁１５ａの開口１２と反対側に位置する側端に施開錠部５の施錠部６が当接することにより施錠される。このように、錠３は、施錠のために建物側に何ら変更を加えず、開口１２の縁に設けられる一方の額縁１５ａを利用しており、構造が簡略化されている。
【００２０】
開錠する際には、図４＜ａ＞に示したように、引き戸１の裏側から操作する場合は、施錠部６が額縁１５ａの開口１２と反対側に位置する側端に当接している施錠状態において、施開錠部５の開口１２側に位置する開錠部７を押し、引き戸１の裏面に近づけるように移動させる。この開錠部７の移動は施開錠部５全体の移動となり、操作部４を引き戸１の表面から離れるように移動させ、施錠部６の額縁１５ａの開口１２の反対に位置する側端との当接が解除され、錠３は開錠される。引き戸１は、上下のレールに沿って開けることができる。
【００２１】
引き戸１の表側から操作する場合は、同様な施錠状態において、操作部４を握り部４ｂを掴むなどして引き、引き戸１から離れるように移動させる。この操作部４の移動によって施開錠部５が連動して引き戸１の裏面に近づくように移動し、施錠部６の額縁１５ａの開口１２の反対に位置する側端との当接が解除され、錠３は開錠される。
【００２２】
施錠する際には、図４＜ｂ＞に示したように、引き戸１を閉めた状態において、引き戸１の表側から操作する場合は、操作部４を握り部４ｂを掴むなどして押し、引き戸１の表面に近づけるように移動させる。この操作部４の移動によって施開錠部５が連動して引き戸１の裏面から離れるように移動し、施開錠部５において施錠部６および開錠部７が額縁１５ａを挟んで引き戸１の裏側に突出し、施錠部６が額縁１５ａの開口１２の反対に位置する側端と当接する。錠３の施錠状態となる。引き戸１は閉まった状態に保持される。
【００２３】
引き戸１の裏側から操作する場合は、施開錠部５の開口１２側に位置する開錠部７を引き、引き戸１の裏面から離れるように移動させる。この開錠部７の移動は施開錠部５全体の移動となり、操作部４を引き戸１の表面に近づけるように移動させ、施開錠部５において施錠部６および開錠部７が額縁１５ａを挟んで引き戸１の裏側に突出し、施錠部６が額縁１５ａの開口１２の反対に位置する側端と当接する。錠３の施錠状態となる。
【００２４】
このように、図１〜図４に示した引き戸の施開錠構造では、錠３は、引き戸１の表裏方向に移動可能で、裏面側に設けられた、額縁１５ａとの当接によって施錠状態にする施錠部６と、施錠部６の額縁１５ａとの当接を解除し、開錠状態にする開錠部７と、施錠部６および開錠部７に連結され、引き戸１の表面側に配置され、施錠部６および開錠部７を引き戸１の表裏方向に一体に移動させる操作部４とを備えた簡易な構造であるとともに、操作部４を引き戸１の表面に近づけるように移動させることによって、施錠部６および開錠部７が額縁１５ａを挟んで引き戸１から突出し、施錠部６が額縁１５ａに当接して施錠状態となり、施錠状態において、操作部４を引き戸１の表面から離れるように移動させるまたは開錠部７を引き戸１の裏面に近づけるように移動させることによって、施錠部６の額縁１５ａとの当接が解除され、開錠状態となり、施開錠を引き戸１の表裏両側から容易に行うことができる。
【００２５】
また、図１〜図４に示した引き戸の施開錠構造では、引き戸１の引き手２の付近に表裏を貫通する孔１１を形成し、引き戸１の表面側から操作部４を孔１１に挿入し、裏面側から施錠部６と開錠部７とが一体に連結された施開錠部５を挿入し、操作部４と施開錠部５との対向端部にそれぞれ設けられた突起９および凹所１０から形成される凹凸部によって両者を嵌着し、錠３として一体化することができ、錠３の取り付けが容易であり、現場での施工が簡便となる。
【００２６】
なお、本発明の引き戸の施開錠構造では、操作部、施錠部および開錠部の形状、大きさおよび構造などについては特に制限はなく、建物の開口縁に設けられた額縁を利用して施錠可能であり、引き戸の表裏両側からの施開錠を可能とする限り、適宜なものを選択し、採用することができる。また、図１〜図４に示した引き戸の施開錠構造では、引き戸１の表面側に操作部４を配置し、裏面側に施開錠部５を配置したが、この配置は逆であってもよい。さらに、錠３の引き戸１への取り付け位置は、引き手２付近であればよく、引き手２の上方とすることもできる。
【００２７】
そして、本発明の引き戸の施開錠構造では、建物の開口に外付けで引き戸を開閉自在に取り付けるための構造には、上記特許文献１に記載された上レールおよび下レール、開口枠ならびに額縁を等しく採用することができる。
【図面の簡単な説明】
【００２８】
【図１】本発明の引き戸の施開錠構造の一実施形態における引き戸を示した斜視図である。
【図２】引き戸に配設された錠を拡大して示した分解斜視図である。
【図３】＜ａ＞＜ｂ＞は、それぞれ、錠の引き戸への取り付けを示した要部工程断面図である。
【図４】＜ａ＞＜ｂ＞は、それぞれ、錠の開錠操作、施錠操作を示した要部断面図である。
【符号の説明】
【００２９】
１  引き戸
２  引き手
３  錠
４  操作部
５  施開錠部
６  施錠部
７  開錠部
１２  開口
１３  開口枠
１５ａ  額縁
【図１】
0004811368.tif 000002
【図２】
0004811368.tif 000003
【図３】
0004811368.tif 000004
【図４】
0004811368.tif 000005